(57)【特許請求の範囲】
【請求項１】
上下に連結された上乗りかご及び下乗りかごと、前記上乗りかご内及び前記下乗りかご内に設置され、かご呼びを登録するかご呼び釦と、各階の乗場ホールに設置され、前記上乗りかご及び前記下乗りかごのホール呼びを登録するホール呼び釦と、前記上乗りかご内及び前記下乗りかご内に設置されたドア開閉釦と、前記上乗りかご及び前記下乗りかごに運転指令を出すエレベータ制御装置と、前記上乗りかご内及び前記下乗りかご内に設置され、平常運転から専用運転へ切り替える専用運転切り替えスイッチと、を備えたダブルデッキエレベータ装置において、
前記各階の乗場ホールに設けられると共に、前記専用運転切り替えスイッチによる専用運転切り替え時に前記上乗りかご及び前記下乗りかごの上下の位置を入れ替える入れ替え運転信号を出力する上下入れ替え手段を備え、
前記上下入れ替え手段は、前記上乗りかご及び前記下乗りかごの何れか一方の前記専用運転切り替えスイッチのＯＮにより前記平常運転から前記専用運転に切り替えられて前記エレベータ制御装置が当該上乗りかご及び当該下乗りかごの何れか一方を戸開待機とし、且つ他方を戸閉待機として前記ホール呼びに応答しない状態とした後に操作されるものであり、当該操作により前記入れ替え運転信号を受けた当該エレベータ制御装置が当該戸開待機にある当該上乗りかご及び当該下乗りかごの何れか一方を戸閉させて当該上乗りかご及び当該下乗りかごを所定階に移動した後、当該戸閉待機にある当該上乗りかご及び当該下乗りかごの何れか他方を戸開待機とし、且つ一方を戸閉待機とすることを特徴とするダブルデッキエレベータ装置。
【請求項２】
請求項１記載のダブルデッキエレベータ装置において、
前記上下入れ替え手段は、前記ホール呼び釦から成り、前記専用運転切り替えスイッチによる専用運転切り替え時に前記ホール呼び釦を長押しすることで前記入れ替え運転信号を出力することを特徴とするダブルデッキエレベータ装置。
【発明の詳細な説明】
【技術分野】
【０００１】
本発明は、ダブルデッキエレベータ装置に関わり、特に、乗りかご内に設けた専用運転切り替えスイッチにより専用運転に切り替え可能なダブルデッキエレベータ装置に関する。
【背景技術】
【０００２】
従来、ダブルデッキエレベータ装置にあって、乗りかご内のかご操作盤に専用運転切り替えスイッチを設け、上乗りかご及び下乗りかごのいずれか一方の専用運転切り替えスイッチを有効とした場合、専用運転に切り替えた乗りかごに対してのみ乗り降りが可能となる。このとき、他方の乗りかごは戸を閉じ乗り降りを禁止する。即ち、一方の乗りかごをかご操作盤で運転する専用運転にしたときに、他方の乗りかごは、閉鎖されると共に、この乗りかごに対する乗場呼びを無効とするようになっている（例えば、特許文献１参照）。
【先行技術文献】
【特許文献】
【０００３】
【特許文献１】特開２００５−１４５６０５号公報（段落番号００２２〜００２５、図１）
【発明の概要】
【発明が解決しようとする課題】
【０００４】
しかしながら、前述した特許文献１に示すものでは、上乗りかごと下乗りかごのいずれか一方の専用運転切り替えスイッチを有効とした場合、他方の乗りかごは閉鎖されるためエレベータシステム全体としてはシングルデッキエレベータと同じになってしまう。即ち、従来、専用運転に切り替えた状態で、２つの乗りかごを利用することは考慮されていない。
【０００５】
このため、荷物の運搬等を効率的に行うため、従来の構造で２つの乗りかごを専用運転の対象としようとした場合、２つの乗りかごにそれぞれ操作員が乗り込み、操作員間で連携を取りながらそれぞれの専用運転切り替えスイッチを操作し、利用できる乗りかごを切り替える必要がある。この場合、操作員は２人以上必要であり、閉鎖している乗りかごに乗り込んだ操作員は、もう一方の乗りかごの専用運転スイッチが有効の間、乗りかご内で待機する必要がある。
【０００６】
本発明は、前述した従来技術における実状からなされたもので、その目的は、専用運転切り替え時、１人の操作員でかつ安全に上下の２つの乗りかごを操作することのできるダブルデッキエレベータ装置を提供することにある。
【課題を解決するための手段】
【０００７】
上記目的を達成するために、本発明は、上下に連結された上乗りかご及び下乗りかごと、上乗りかご内及び下乗りかご内に設置され、かご呼びを登録するかご呼び釦と、各階の乗場ホールに設置され、上乗りかご及び下乗りかごのホール呼びを登録するホール呼び釦と、上乗りかご内及び下乗りかご内に設置されたドア開閉釦と、上乗りかご及び下乗りかごに運転指令を出すエレベータ制御装置と、上乗りかご内及び下乗りかご内に設置され、平常運転から専用運転へ切り替える専用運転切り替えスイッチと、を備えたダブルデッキエレベータ装置において、各階の乗場ホールに設けられると共に、専用運転切り替えスイッチによる専用運転切り替え時に上乗りかご及び下乗りかごの上下の位置を入れ替える入れ替え運転信号を出力する上下入れ替え手段を備え、上下入れ替え手段は、上乗りかご及び下乗りかごの何れか一方の専用運転切り替えスイッチのＯＮにより平常運転から専用運転に切り替えられてエレベータ制御装置が当該上乗りかご及び当該下乗りかごの何れか一方を戸開待機とし、且つ他方を戸閉待機としてホール呼びに応答しない状態とした後に操作されるものであり、当該操作により入れ替え運転信号を受けた当該エレベータ制御装置が当該戸開待機にある当該上乗りかご及び当該下乗りかごの何れか一方を戸閉させて当該上乗りかご及び当該下乗りかごを所定階に移動した後、当該戸閉待機にある当該上乗りかご及び当該下乗りかごの何れか他方を戸開待機とし、且つ一方を戸閉待機とすることを特徴とする。
【０００８】
このように構成した本発明では、一方の乗りかごの専用運転切り替えスイッチを投入すると、一方の乗りかごは当該階床で戸開待機、他方の乗りかごは当該階床と隣接する他階床で戸閉待機となる。この状態から操作員が乗場ホールにて上下入れ替え手段を操作し入れ替え運転信号を出力すると、一方の乗りかごの戸が閉じられ、一方の乗りかごは当該階床と隣接する他階へ、他方の乗りかごは操作員が居る当該階床へ移動し、他方の乗りかごが戸開待機となると共に、一方の乗りかごは戸閉待機となる。これによって、専用運転切り替え時、乗場ホール側で上下乗りかごの入れ替え操作ができるため、１人でかつ安全に２つの乗りかごを操作できる。
【０００９】
また、本発明の実施態様は、上記ダブルデッキエレベータ装置において、上下入れ替え手段は、ホール呼び釦から成り、専用運転切り替えスイッチによる専用運転切り替え時にホール呼び釦を長押しすることで入れ替え運転信号を出力することを特徴とする。
【００１０】
このように構成した本発明では、上下入れ替え手段をあらかじめ設けられるホール呼び釦とすることで、設備コストの向上を抑えつつ乗りかごの入れ替え運転を行うことができる。
【発明の効果】
【００１１】
本発明のダブルデッキエレベータ装置によれば、作業者が上乗りかご内及び下乗りかご内の何れかでの専用運転切り替えスイッチのＯＮによる専用運転切り替え後に各階の乗場ホール側で上乗りかご及び下乗りかごの入れ替え指示の操作を行うようにし、作業者が１人でも安全に２つの乗りかごを動作制御できるため、専用運転切り替え時に１人の操作で２つの乗りかごを使用し、多くの荷物等を短時間で運搬することが可能となると共に、２つの乗りかごの昇降回数も減らすことができるため、省エネルギー効果も期待できる。
【図面の簡単な説明】
【００１２】
【図１】本発明の実施例に係るダブルデッキエレベータ装置における全体構成図である。
【図２】本発明の実施例に係るダブルデッキエレベータ装置における運転フローチャートである。
【図３】本発明の他の実施例に係るダブルデッキエレベータ装置における全体構成図である。
【発明を実施するための形態】
【００１３】
以下、本発明に係るダブルデッキエレベータ装置の実施例を図に基づき説明する。
【００１４】
本実施例に係るダブルデッキエレベータ装置は、図１に示すように、昇降路上部、又は下部の少なくとも一方にあるエレベータ制御装置１０と、建築物の昇降路内にある上乗りかご１２と、上乗りかご１２と連結している下乗りかご１３と、乗りかご１２、１３とエレベータ制御装置１０を繋ぎ、電源線、通信線、及び映像線を含んでなるテールコード１１と、上乗りかご１２内に設置される上かご専用運転切り替えスイッチ１４と、下乗りかご１３内に設置される下かご専用運転切り替えスイッチ１５と、上乗りかご１２内に設置され、かご呼びを登録する上かごかご呼び釦１６と、下乗りかご１３内に設置され、かご呼びを登録する下かごかご呼び釦１７と、上乗りかご１２内に設置される上かごドア開閉釦１８と、下乗りかご１３内に設置される下かごドア開閉釦１９と、各階床の乗場ホールに設置され、ホール呼びを登録するホール呼び釦２０とを備えている。なお、専用運転切り替え時に、乗りかご１２、１３の上下の位置を入れ替える入れ替え運転信号を出力する上下入れ替え手段は、ホール呼び釦２０から成っており、専用運転切り替え時にホール呼び釦２０を長押しすることで入れ替え運転信号を出力するようになっている。
【００１５】
次に、本実施例に係るダブルデッキエレベータ装置の動作について、図２を参照しながら説明する。
【００１６】
まず、ステップ３０の平常運転中にステップ３１で操作員が下乗りかご１３内の専用運転切り替えスイッチ１５を「平常」から「専用」に切り替えると、ステップ３２で下乗りかご１３は戸開待機となり、上乗りかご１２は戸閉待機となってホール呼びには応答しなくなる。この状態で操作員は戸開している下乗りかご１３に荷物を搬入する。下乗りかご１３への荷物の搬入が完了したら操作員は下乗りかご１３から降り、ステップ３３でホール呼び釦２０を長押しする。この長押しの時間は任意に設定できるが、例えば、戸閉完了するまでホール呼び釦２０を押し続ける。このホール呼び釦２０の操作に応じて、ステップ３４で下乗りかご１３が戸閉動作を開始し、次いで、ステップ３５で下乗りかご１３が戸閉完了すると下乗りかご１３は下に１階床ずれると共に、上乗りかご１２は操作員が居る階床に着床し、ステップ３６で上乗りかご１２が戸開待機となり、下乗りかご１３は戸閉待機となる。この状態で操作員は上乗りかご１２に荷物を搬入する。上乗りかご１２への荷物の搬入が完了したら操作員はステップ３７で上乗りかご１２内の任意のかご呼び釦１６を押し、ステップ３８で上乗りかご１２が戸閉完了するまで戸閉釦１９を押し続ける。戸閉完了したら、ステップ３９で登録したかご呼び階に上乗りかご１２が移動し、ステップ４０で上乗りかご１２がかご呼び階に着床したら、ステップ４１で上乗りかご１２は戸開待機となり、下乗りかご１３は戸閉待機となる。この状態で操作員は上乗りかご１２の荷物を搬出する。上乗りかご１２からの荷物の搬出が完了したら操作員は上乗りかご１２から降り、ステップ４２でホール呼び釦２０を長押しする。このホール呼び釦２０の操作に応じて、ステップ４３で上乗りかご１２が戸閉動作を開始し、次いで、ステップ４４で上乗りかご１２が戸閉完了すると上乗りかご１２は上に１階床ずれると共に、下乗りかご１３は操作員がいる階床に着床し、ステップ４５で下乗りかご１３が戸開待機となり、上乗りかご１２は戸閉待機となる。この状態で操作員は下乗りかご１３の荷物を搬出する。下乗りかご１３からの荷物の搬出が完了したら操作員は、ステップ４６で下乗りかご１３内の専用運転切り替えスイッチ１５を「専用」から「平常」に切り替え、ステップ４７でエレベータを平常運転に復帰する。
【００１７】
なお、図２に示す運転制御のステップは、当然ながら、各種釦スイッチの操作とエレベータ制御装置１０の指令で実行される。
【００１８】
本発明によれば、上乗りかご１２と下乗りかご１３が一体となったダブルデッキエレベータにおいて、専用運転中にホール呼び釦２０を長押しすることで上下の乗りかご１２、１３の位置を入れ替えることができる。このように、専用運転切り替え時、ホール側で上下乗りかごの操作ができるため、１人でかつ安全に２つの乗りかごを操作できる。これによって、専用運転切り替え時、１人の操作で２つの乗りかごを使用し、多くの荷物等を短時間で運搬することが可能となる。また、乗りかご１２、１３の昇降回数も減らすことができるため省エネルギー効果も期待できる。さらに、上下入れ替え手段をあらかじめ設けられるホール呼び釦２０とすることで、設備コストの向上を抑えつつ乗りかごの入れ替え運転を行うことができる。
【００１９】
ここで、本発明に係るダブルデッキエレベータ装置の他の実施例を図３に基づき説明する。なお、前述した図１に示すものと同等のものには同一符号が付してある。
【００２０】
他の実施例に係るダブルデッキエレベータ装置は、図３に示すように、各階の乗場ホールに設けられ、専用運転切り替え時に上乗りかご１２、下乗りかご１３の上下の位置を入れ替える入れ替え運転信号を出力する上下入れ替え手段、例えば上下入れ替え釦２１が設けられている。
【００２１】
他の実施例にあっては、専用運転中に上下入れ替え釦２１を操作することで上下の乗りかご１２、１３の位置を入れ替えることができる。なお、他の動作については前述した実施例と同等であることから説明を省略する。
【００２２】
他の実施例によれば、前述したホール呼び釦２０の長押しよりも簡易な操作で上下の乗りかご１２、１３の位置の入れ替え操作を行うことができる。
【符号の説明】
【００２３】
１０  エレベータ制御装置
１１  テールコード
１２  上乗りかご
１３  下乗りかご
１４  上かご専用運転切り替えスイッチ
１５  下かご専用運転切り替えスイッチ
１６  上かごかご呼び釦
１７  下かごかご呼び釦
１８  上かごドア開閉釦
１９  下かごドア開閉釦
２０  ホール呼び釦（上下入れ替え手段）
２１  上下入れ替え釦（上下入れ替え手段）
【図１】
0005628752.tif 000002
【図２】
0005628752.tif 000003
【図３】
0005628752.tif 000004